(57)【特許請求の範囲】
【請求項１】
ワイヤレス通信におけるチューンアウェイの方法であって、
ユーザ機器(UE)内の第1のサブスクリプション上の第1のサブスクリプションネットワークエンティティからマスタ情報ブロック(MIB)を受信するステップと、
前記MIBから、前記第1のサブスクリプションネットワークエンティティに関連するシステム情報ブロック(SIB)スケジューリング情報を判定するステップと、
前記SIBスケジューリング情報に少なくとも一部基づいて、第1のサブスクリプションに関するスケジューリング情報が送られない1つ以上の休止状態のSIB期間を判定するステップと、
前記1つ以上の休止状態のSIB期間のうちの少なくとも1つの休止状態のSIB期間の間、前記第1のサブスクリプションから第2のサブスクリプションにチューンアウェイして、1つ以上の第2のサブスクリプションネットワークエンティティからページング情報を受信するステップとを含む、方法。
【請求項２】
前記少なくとも1つの休止状態のSIB期間の間、前記第2のサブスクリプション上の1つまたは複数のページングチャネル(PCH)ブロックを読み取るステップをさらに含む、請求項1に記載の方法。
【請求項３】
前記第1のサブスクリプション上の既存の呼のスループットよりも、前記第2のサブスクリプション上の1つまたは複数のモバイル着信呼を受信することを優先する設定を行うステップをさらに含む、請求項1に記載の方法。
【請求項４】
既存の呼のスループットよりも1つまたは複数のモバイル着信呼を受信することを前記優先する設定を行うステップが、第1のチューンアウェイ優先または第2のチューンアウェイ優先を設定するステップを含む、請求項3に記載の方法。
【請求項５】
前記第1のチューンアウェイ優先が、第2のサブスクリプション手順よりも第1のサブスクリプション手順を優先する、請求項4に記載の方法。
【請求項６】
前記第2のチューンアウェイ優先が、第1のサブスクリプション手順に対して第2のサブスクリプション手順を優先する、請求項4に記載の方法。
【請求項７】
前記少なくとも1つの休止状態のSIB期間の間、ページング情報について第2のサブスクリプションネットワークエンティティに照会するステップをさらに含む、請求項1に記載の方法。
【請求項８】
前記第1のサブスクリプションから前記第2のサブスクリプションにチューンアウェイするステップが、1つまたは複数の無線リソースをチューンアウェイするステップを含む、請求項1に記載の方法。
【請求項９】
ワイヤレスシステム内のチューンアウェイ用の装置であって、
ユーザ機器(UE)内の第1のサブスクリプション上の第1のサブスクリプションネットワークエンティティからマスタ情報ブロック(MIB)を受信するための手段と、
前記MIBに基づいて、前記第1のサブスクリプションネットワークエンティティに関連するシステム情報ブロック(SIB)スケジューリング情報を判定するための手段と、
前記SIBスケジューリング情報に少なくとも一部基づいて、第1のサブスクリプションに関するスケジューリング情報が送られない1つ以上の休止状態のSIB期間を判定するための手段と、
前記1つ以上の休止状態のSIB期間のうちの少なくとも1つの休止状態のSIB期間の間、前記第1のサブスクリプションから第2のサブスクリプションにチューンアウェイして、1つ以上の第2のサブスクリプションネットワークエンティティからページング情報を受信するための手段とを備える、装置。
【請求項１０】
前記少なくとも1つの休止状態のSIB期間の間、前記第2のサブスクリプション上の1つまたは複数のページングチャネル(PCH)ブロックを読み取るための手段をさらに備える、請求項9に記載の装置。
【請求項１１】
前記第1のサブスクリプション上の既存の呼のスループットよりも、前記第2のサブスクリプション上の1つまたは複数のモバイル着信呼を受信することを優先する設定を行うための手段をさらに備える、請求項9に記載の装置。
【請求項１２】
ユーザ機器(UE)内の第1のサブスクリプション上の第1のサブスクリプションネットワークエンティティからマスタ情報ブロック(MIB)を受信することと、
前記MIBに基づいて、前記第1のサブスクリプションネットワークエンティティに関連するシステム情報ブロック(SIB)スケジューリング情報を判定することと、
前記SIBスケジューリング情報に少なくとも一部基づいて、第1のサブスクリプションに関するスケジューリング情報が送られない1つ以上の休止状態のSIB期間を判定することと、
前記1つ以上の休止状態のSIB期間のうちの少なくとも1つの休止状態のSIB期間の間、前記第1のサブスクリプションから第2のサブスクリプションにチューンアウェイして、1つ以上の第2のサブスクリプションネットワークエンティティからページング情報を受信することとを行うためのコードを含む、非一時的コンピュータ可読記録媒体。
【請求項１３】
前記コンピュータ可読記録媒体が、前記少なくとも1つの休止状態のSIB期間の間、前記第2のサブスクリプション上の1つまたは複数のページングチャネル(PCH)ブロックを読み取るためのコードをさらに含む、請求項12に記載のコンピュータ可読記録媒体。
【請求項１４】
前記コンピュータ可読記録媒体が、前記第1のサブスクリプション上の既存の呼のスループットよりも、前記第2のサブスクリプション上の1つまたは複数のモバイル着信呼を受信することを優先する設定を行うためのコードをさらに含む、請求項12に記載のコンピュータ可読記録媒体。
【請求項１５】
前記既存の呼のスループットよりも1つまたは複数のモバイル着信呼を受信することを優先する設定を行うことは、第1のチューンアウェイ優先または第2のチューンアウェイ優先を設定することを含む、請求項14に記載のコンピュータ可読記録媒体。
【請求項１６】
前記第1のチューンアウェイ優先は、第2のサブスクリプション手順よりも第1のサブスクリプション手順を優先する、請求項15に記載のコンピュータ可読記録媒体。
【請求項１７】
前記第2のチューンアウェイ優先は、第1のサブスクリプション手順に対して第2のサブスクリプション手順を優先する、請求項15に記載のコンピュータ可読記録媒体。
【請求項１８】
ワイヤレス通信におけるチューンアウェイ用の装置であって、
少なくとも1つのプロセッサと、
前記少なくとも1つのプロセッサに結合されたメモリと
を備え、前記少なくとも1つのプロセッサが、
ユーザ機器(UE)内の第1のサブスクリプション上の第1のサブスクリプションネットワークエンティティからマスタ情報ブロック(MIB)を受信することと、
前記MIBに基づいて、前記第1のサブスクリプションネットワークエンティティに関連するシステム情報ブロック(SIB)スケジューリング情報を判定することと、
前記SIBスケジューリング情報に少なくとも一部基づいて、第1のサブスクリプションに関するスケジューリング情報が送られない1つ以上の休止状態のSIB期間を判定することと、
前記1つ以上の休止状態のSIB期間のうちの少なくとも1つの休止状態のSIB期間の間、前記第1のサブスクリプションから第2のサブスクリプションにチューンアウェイして、1つ以上の第2のサブスクリプションネットワークエンティティからページング情報を受信することとを行うように構成された、装置。
【請求項１９】
前記少なくとも1つのプロセッサが、前記少なくとも1つの休止状態のSIB期間の間、前記第2のサブスクリプション上の1つまたは複数のページングチャネル(PCH)ブロックを読み取るようにさらに構成された、請求項18に記載の装置。
【請求項２０】
前記少なくとも1つのプロセッサが、前記第1のサブスクリプション上の既存の呼のスループットよりも、前記第2のサブスクリプション上の1つまたは複数のモバイル着信呼を受信することを優先する設定を行うようにさらに構成された、請求項18に記載の装置。
【請求項２１】
既存の呼のスループットよりも1つまたは複数のモバイル着信呼を受信することを優先する設定を行うために、前記少なくとも1つのプロセッサが、第1のチューンアウェイ優先または第2のチューンアウェイ優先を設定するようにさらに構成された、請求項20に記載の装置。
【請求項２２】
前記第1のチューンアウェイ優先が、第2のサブスクリプション手順に対して第1のサブスクリプション手順を優先する、請求項21に記載の装置。
【請求項２３】
前記第2のチューンアウェイ優先が、第1のサブスクリプション手順に対して第2のサブスクリプション手順を優先する、請求項21に記載の装置。
【請求項２４】
前記少なくとも1つのプロセッサが、前記少なくとも1つの休止状態のSIB期間の間、ページング情報について第2のサブスクリプションネットワークエンティティに照会するようにさらに構成された、請求項18に記載の装置。
【請求項２５】
前記第1のサブスクリプションから前記第2のサブスクリプションにチューンアウェイするために、前記少なくとも1つのプロセッサが、1つまたは複数の無線リソースをチューンアウェイするようにさらに構成された、請求項18に記載の装置。
【請求項２６】
前記設定を行うための手段は、少なくとも一部第1のチューンアウェイ優先または第2のチューンアウェイ優先を設定することによって、既存の呼のスループットよりも1つまたは複数のモバイル着信呼を受信することを優先する設定を行う、請求項11に記載の装置。
【請求項２７】
前記第1のチューンアウェイ優先は、第2のサブスクリプション手順よりも第1のサブスクリプション手順を優先する、請求項26に記載の装置。
【請求項２８】
前記第2のチューンアウェイ優先は、第1のサブスクリプション手順に対して第2のサブスクリプション手順を優先する、請求項26に記載の装置。
【発明の詳細な説明】
【技術分野】
【０００１】
本開示の態様は、一般に、ワイヤレス通信システムに関し、より詳細には、複数のサブスクリプションに関係する通信を処理することに関する。
【背景技術】
【０００２】
電話、ビデオ、データ、メッセージング、放送などの様々な通信サービスを提供するために、ワイヤレス通信ネットワークが広範囲に展開されている。そのようなネットワークは、通常、多元接続ネットワークであり、利用可能なネットワークリソースを共有することによって、複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、ユニバーサルモバイル通信システム(UMTS)の一部として定義される無線アクセスネットワーク(RAN)である。UMTSは、モバイル通信用グローバルシステム(GSM(登録商標))技術の後継であり、広帯域符号分割多元接続(W-CDMA(登録商標))、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる、高速パケットアクセス(HSPA)などの拡張型3Gデータ通信プロトコルもサポートする。
【０００３】
いくつかのワイヤレスネットワークでは、ユーザ機器(UE)は、(たとえば、複数の加入者識別モジュール(SIM)カードなどを使用することにより)1つまたは複数のネットワークへの複数のサブスクリプションを有することができる。そのようなUEには、限定はしないが、デュアルSIMデュアルスタンバイ(DSDS)デバイスが含まれ得る。たとえば、第1のサブスクリプションは、広帯域符号分割多元接続(WCDMA(登録商標))などの第1の技術規格である場合があるが、第2のサブスクリプションは、モバイル通信用グローバルシステム(GSM(登録商標))、(GERANとも呼ばれる)GSM(登録商標)発展用拡張型データレート(EDGE)などの第2の技術規格をサポートする場合がある。UEが単一の送受信機を利用して複数のサブスクリプションおよび/またはネットワーク上で通信する場合、UEは、所与のサブスクリプションおよび/またはネットワークに送受信機を同調させてそれらと通信することができるが、所与の時間期間で単一のサブスクリプションおよび/またはネットワーク内で通信することしかできない。したがって、UEが第1のサブスクリプションとのアクティブな呼を有するとき、UEは、第2のサブスクリプションに周期的にチューンアウェイして、信号を監視しまたは接続を取得する場合がある。そのようなチューンアウェイの間、UEは、第1のサブスクリプションに対応する信号を受信することができないので、第1のサブスクリプションとのアクティブな呼でのスループットを失う。さらに、チューンアウェイモードが比較的長い時間持続する場合、第1のサブスクリプションのアクティブな呼を管理するネットワークは、UEが活動の欠如のためにもはや接続されていないと判断する場合があり、したがって第1のサブスクリプションのアクティブな呼を終了する場合がある。
【０００４】
さらに、DSDSのUEは、最初に第1のサブスクリプション上にアクティブなセッションを確立し、アクティブなセッションは、第2のサブスクリプションがアイドル状態にあるとき、大部分の時間共有された無線リソースを使用することができる。しかしながら、デバイスは第2のサブスクリプションを有しているので、デバイスはまた、第2のサブスクリプションがデバイス上の共有された無線リソースを利用することを周期的に可能にすることが必要であり得る。そのような動作は、DSDSデバイス内の「チューンアウェイ」と呼ばれる場合がある。
【０００５】
UEが第1のサブスクリプションサービス用の新しいセルを再選択する場合などのいくつかの状況では、UEは、個々のシステム情報ブロック(SIB)のタイミングに関するスケジューリング情報を含むマスタ情報ブロック(MIB)を受信することができる。第1のサブスクリプションは、しばしば、SIBを受信し復号して、重要な制御情報を受信することが必要である。レガシーシステムでは、これらのSIB期間は、時々、チューンアウェイ期間と重なり、これは2つのタイプの期間の「衝突」と呼ばれる場合がある。当然、これら2つの動作のうちの1つだけが、単一の無線リソースが存在する所与の時間に完了することができ、レガシーデバイスおよびネットワークは、通常、第2のサブスクリプションへのチューンアウェイよりも第1のサブスクリプションに関連するSIBブロックを受信することを優先して、第1のサブスクリプション上で進行中のデータセッションが維持されることを保証する。チューンアウェイすることに対してSIB受信動作を優先することによって、第2のサブスクリプションは、第2のサブスクリプションネットワークから第2のサブスクリプションに向けられたページングを受信しない場合がある。結果として、SIB受信動作がチューンアウェイより勝るせいで、第2のサブスクリプションは1つまたは複数の呼を逃す場合がある。したがって、チューンアウェイの動作の改善が望まれる。
【発明の概要】
【課題を解決するための手段】
【０００６】
一態様では、ワイヤレス通信におけるチューンアウェイの方法は、ユーザ機器(UE)内の第1のサブスクリプション上の第1のサブスクリプションネットワークエンティティからマスタ情報ブロック(MIB)を受信するステップを含む。方法は、第1のサブスクリプションネットワークエンティティに関連するシステム情報ブロック(SIB)スケジューリング情報を判定するステップをさらに含む。その上、方法は、第1のサブスクリプションから第2のサブスクリプションにチューンアウェイするステップを含む。
【０００７】
本開示の別の態様は、ユーザ機器(UE)内の第1のサブスクリプション上の第1のサブスクリプションネットワークエンティティからマスタ情報ブロック(MIB)を受信するための手段を含む、ワイヤレスシステム内のチューンアウェイ用の装置を提供する。また、装置は、第1のサブスクリプションネットワークエンティティに関連するシステム情報ブロック(SIB)スケジューリング情報を判定するための手段を含む。その上、装置は、第1のサブスクリプションから第2のサブスクリプションにチューンアウェイするための手段を含む。
【０００８】
別の態様では、コンピュータプログラム製品は、コンピュータによって実行可能なコードを含むコンピュータ可読媒体を備える。たとえば、コンピュータ可読媒体は、ユーザ機器(UE)内の第1のサブスクリプション上の第1のサブスクリプションネットワークエンティティからマスタ情報ブロック(MIB)を受信するためのコードを含む。コンピュータ可読媒体は、第1のサブスクリプションネットワークエンティティに関連するシステム情報ブロック(SIB)スケジューリング情報を判定するためのコードをさらに含む。その上、コンピュータ可読媒体は、第1のサブスクリプションから第2のサブスクリプションにチューンアウェイするためのコードを含む。
【０００９】
さらなる態様は、少なくとも1つのプロセッサと、少なくとも1つのプロセッサに結合されたメモリとを含む、ワイヤレス通信におけるチューンアウェイ用の装置を提供する。少なくとも1つのプロセッサは、ユーザ機器(UE)内の第1のサブスクリプション上の第1のサブスクリプションネットワークエンティティからマスタ情報ブロック(MIB)を受信するように構成することができる。その上、少なくとも1つのプロセッサは、第1のサブスクリプションネットワークエンティティに関連するシステム情報ブロック(SIB)スケジューリング情報を判定するように構成することができる。また、少なくとも1つのプロセッサは、第1のサブスクリプションから第2のサブスクリプションにチューンアウェイするように構成することができる。
【００１０】
開示される態様を限定するためではなく例示するために提供される添付の図面とともに、開示される態様が以下に記載され、同様の記号表示は同様の要素を示している。
【図面の簡単な説明】
【００１１】
【図１】SIBスケジューリング情報に基づいてチューンアウェイを実行することができるマルチSIMユーザ機器の一態様を含む通信ネットワークの概略図である。
【図２】図1のチューンアウェイ構成要素の一態様の概略図である。
【図３】図1の優先付け構成要素の一態様の概略図である。
【図４】図1のMIB読取り構成要素の一態様の概略図である。
【図５】図1のユーザ機器の一態様の概略図である。
【図６】マルチSIMユーザ機器におけるページング性能の最適化の方法の一態様のフローチャートである。
【図７】マルチSIMユーザ機器における改善されたチューンアウェイおよびページング性能のためのシステムの一態様の概略図である。
【発明を実施するための形態】
【００１２】
次に、図面を参照しながら様々な態様が記載される。以下の記述では、説明の目的で、1つまたは複数の態様の完全な理解を与えるために、多数の具体的な詳細が記載される。しかしながら、そのような態様をこれらの具体的な詳細なしに実践できることは明白であり得る。
【００１３】
本開示は、たとえば、ユーザが第1のサブスクリプション上のアクティブな呼でのスループットよりも第2のサブスクリプション上の呼を受信することを優先するように選ぶことに基づいて、それにより、モバイル着信(MT)呼またはそのような呼に関連するページングを受信するための第2のサブスクリプションへのチューンアウェイが、第1のサブスクリプションに関連するスケジュールされたシステム情報ブロック(SIB)手順よりも優先され得る、マルチSIMデバイス内の改善されたチューンアウェイのための方法および装置を提供する。詳細には、第1のサブスクリプションに関連するセル探索の期間が、第2のサブスクリプションによるUE無線リソースの使用のためのチューンアウェイ期間と少なくとも部分的に重なる場合、第2のサブスクリプション上の呼またはページングの欠落を最小化するために、チューンアウェイ動作は、第1のサブスクリプションに関連するSIB読取り期間と重ならないように再スケジュールすることができる。
【００１４】
図1を参照すると、一態様では、ワイヤレス通信システム10は、第1のサブスクリプション18に関連するSIB読取り手順に対して第2のサブスクリプション22に関連するMT呼を受信することを優先して、第2のサブスクリプション22が第2のサブスクリプションネットワーク上の1つまたは複数のページングを受信することを可能にするためのユーザ機器(UE)12を含む。たとえば、UE12は、1つまたは複数のネットワークへの複数のサブスクリプションを利用して、第1の基地局14および/または第2の基地局16と通信することができる。一例では、UE12は、第1のネットワーク20に関係する第1のサブスクリプション18、および、第1のネットワーク20などの同じネットワークまたは第2のネットワーク24などの異なるネットワークに関係する第2のサブスクリプション22を有することができる。たとえば、各サブスクリプション18および22は、同じネットワーク上または異なるネットワーク上の異なるアカウントおよび/または異なるサービスに関係することができる。いくつかの態様では、各サブスクリプション18および22は、場合によっては、それぞれの第1の加入者識別モジュール(SIM)26および第2のSIM28で維持することができる。したがって、一態様では、UE12は、デュアルSIMデュアルスタンバイ(DSDS)デバイスなどのマルチSIMマルチスタンバイデバイスであり得る。したがって、UE12は、少なくとも第1のサブスクリプション18を使用して、第1の基地局14を介して、第1のネットワーク20内で通信することができる。その上、UE12は、第2のサブスクリプション22を使用して、第1の基地局14を介して、および/または第2の基地局16などの異なる基地局を介して、第2のネットワーク24内で通信することができる。さらに、第1のネットワーク20および第2のネットワーク24は、同じまたは異なる無線アクセス技術(RAT)を使用して、UEとの通信を容易にすることができる。加えて、第1の基地局14および第2の基地局16は、各々、マクロセル、ピコセル、フェムトセル、リレー、ノードB、モバイルノードB、(たとえば、ピアツーピアまたはアドホックモードでUE12と通信する)UE、または、UE12と通信してUE12でのサブスクリプションを介してワイヤレスネットワークアクセスを提供することができる、実質的に任意のタイプの構成要素であり得る。
【００１５】
UE12は、1つまたは複数の無線周波(RF)通信リソース32を介して、第1のサブスクリプション18および/または第2のサブスクリプション22に関連付けられた通信交換シグナリングを管理するように構成された、通信マネージャ構成要素30を含むことができる。たとえば、通信マネージャ構成要素30は、プロトコルおよび/または規格特有の命令および/または第1のネットワーク20および第2のネットワーク24との通信を可能にするサブスクリプション特有の構成情報を使用して、通信プロトコルを含み実行し、かつ/または、他の規格特有の通信手順を管理することができる。さらに、RF通信リソース32は、通信交換シグナリングを、ワイヤレス通信システム10内の1つまたは複数の基地局または他のデバイスに送信し、かつ/または、それらから受信するように構成される。たとえば、RF通信リソース32には、限定はしないが、送信機、受信機、送受信機、プロトコルスタック、送信チェーン構成要素、および受信チェーン構成要素のうちの1つまたは複数が含まれ得る。いくつかの態様では、RF通信リソース32は、任意の所与の時間に、第1のサブスクリプション18または第2のサブスクリプション22のうちの1つだけの規格および手順に従う動作専用であり得る。たとえば、限定的なものと解釈されるべきではないが、RF通信リソース32は、デュアルSIMデュアルスタンバイ(DSDS)デバイスなどのマルチSIMマルチスタンバイデバイスに関連付けることができる。
【００１６】
一態様では、通信マネージャ構成要素30は、マルチネットワーク通信を管理して、たとえば、ハンドオーバのためのUE12の移動性を可能にし、かつ/または、通信品質および/またはサービスに追加するか、またはそれらを向上するように努めることができる。ある場合には、たとえば、通信マネージャ構成要素30は、第1のサブスクリプション18を使用して、あるワイヤレスネットワーク、たとえば第1のネットワーク20とアクティブな呼34を確立する一方で、第2のサブスクリプション22を使用して、同じネットワーク、または第2のネットワーク24などの異なるネットワークとの通信および/またはサービスを取得および/または維持するように試みることができる。一例によれば、通信マネージャ構成要素30は、第1の基地局14を介して第1のサブスクリプション18に関係する第1のネットワーク20上でアクティブな呼40を確立することができる。たとえば、UE12および基地局14は、接続を確立して第1のネットワーク20内の通信を容易にすることができる。UE12と第1の基地局14との間の通信は、たとえば、本明細書に記載されるように論理チャネル上で発生することができる。UE12は、基地局14から呼の確立を要求すること、基地局14から着信呼に対するページングを受信することなどに基づいて、呼をアクティブにすることができる。その上、たとえば、アクティブな呼は、第1のネットワーク20がパケット交換(PS)ネットワークである場合のデータ呼(たとえば、ボイスオーバインターネットプロトコル(VoIP)または同様の技術)、第1のネットワーク20が回線交換(CS)ネットワークである場合の音声呼、などであり得る。
【００１７】
追加の態様では、図2を参照すると、通信マネージャ構成要素30はまた、第1のサブスクリプション18に従ってアクティブな呼40で動作することから、第2のサブスクリプション22に従って動作して同じまたは異なるネットワークとの通信および/またはサービスを取得および/または維持することに、RF通信リソース32を切り替えることを管理するように構成された、チューンアウェイ構成要素36を含む場合がある。たとえば、チューンアウェイ構成要素36は、周期的なチューンアウェイタイマ42を維持することができ、チューンアウェイタイマ42が満了すると、RF通信リソース32の動作を変更し、通信マネージャ30が第2のサブスクリプション22に従って通信することをトリガするように構成される。そのようなチューンアウェイの実行、およびそれに続く手順は、チューンアウェイモード40で動作していると呼ぶ場合がある。たとえば、チューンアウェイ構成要素36は、RF通信リソース32に、アクティブな呼34をサポートする(たとえば、WCDMA(登録商標)通信のような第1のネットワークの通信またはサービスのための)第1のサブスクリプション動作状態から、(たとえば、異なる第1のネットワークサービスまたはGSM(登録商標)通信のような異なる第2のネットワーク通信のための)第2のサブスクリプション動作状態になど、動作状態を切り替えさせるか、または再初期化させる。したがって、チューンアウェイモード40には、限定はしないが、第2のサブスクリプション動作状態の覚醒を実施すること、信号およびデータを処理するための対応するプロトコルスタックをセットアップすること、第2のサブスクリプション関連のクロックを有効にすること、送信機または受信機または送受信機の受信および/または送信の周波数または周波数レンジを変更することを含むRFチューニング、および第2のサブスクリプション22を使用する通信を有効にする任意の他のオーバーヘッド手順などの、RF通信リソース32に関する1つまたは複数の動作が含まれ得る。さらに、第2のサブスクリプション動作状態が有効になると、チューンアウェイ構成要素36は、UE12および/または通信マネージャ構成要素30に、第2のサブスクリプション22を使用して、限定はしないが、ページング復調、アイドルモード監視手順、周期的セル/位置/ルーティング更新、セル再選択などの1つまたは複数の手順をネットワーク内で実施させるように構成することができる。
【００１８】
一例では、チューンアウェイ構成要素36は、チューンアウェイモード40を開始して、第2の基地局16を介して、アクティブな呼34をサポートするネットワークとは異なるネットワーク、たとえば第2のネットワーク24と通信する。したがって、チューンアウェイ構成要素36により、チューンアウェイモード40の間に、第2のネットワーク24に対応する第2の基地局16からアイドルモード信号が受信されたかどうかを、RF通信リソース32が判定することが可能になる。アイドルモード信号は、ページング信号、ブロードキャスト制御チャネル(BCCH)信号、またはUE12の移動性に相関させることができる他の信号などの、ネットワーク、たとえば第2のネットワーク24内でブロードキャストされる実質的に任意の信号に関係することができる。さらに、チューンアウェイ構成要素36は、手順構成要素44を利用して、UE12の別の構成要素もしくは副構成要素からの受信信号、または状態情報を含むネットワークからの受信通信信号に基づいて、1つまたは複数の手順を記憶または場合によっては実施することができる。したがって、チューンアウェイ構成要素36により、ページング復調などのアイドルモード手順を含む、少なくとも第1の手順または第1のセットの手順46をUE12が実施することが可能になる。加えて、通信の状態および/もしくはUE12の動き、またはアイドルモード信号が受信されたかどうかに応じて、チューンアウェイ構成要素36により、限定はしないが、受信信号の処理(たとえば、受信されたページングが第2のサブスクリプション22に関係するかどうかを判定し、そうである場合任意選択で応答すること)、周期的セル/位置/ルーティング更新、セル再選択などの、追加の手順48をUE12が実施することが可能になる。そのような追加の手順は、第1のサブスクリプション18のアクティブな呼34に対応する非アクティビティタイマよりも長い時間期間などの、比較的長い時間期間がかかる場合があることに留意されたい。
【００１９】
さらなる態様では、図3を参照すると、通信マネージャ30は優先付け構成要素32を含む場合があり、優先付け構成要素32は、UE12上の第1のサブスクリプション上の既存の呼のスループットを向上することに関連する手順よりも、第2のサブスクリプションへのチューンアウェイを優先して、UE12上のMT呼またはページングを受信するように構成することができる。たとえば、優先付け構成要素32は、チューンアウェイ優先構成要素50を開始して、既存の呼のスループットよりも1つまたは複数のモバイル着信呼を受信することを優先する設定を行うことができる。一態様では、第1のチューンアウェイ優先構成要素52は、第1のチューンアウェイ優先52および第2のチューンアウェイ優先54を設定することができる。いくつかの場合には、第1のチューンアウェイ優先52は、第2のサブスクリプション手順(たとえば、追加の手順48、図2)よりも第1のサブスクリプション手順(たとえば、第1の手順46、図2)を優先することができる。他の場合には、第2のチューンアウェイ優先54は、第1のサブスクリプション手順(たとえば、第1の手順46、図2)よりも第2のサブスクリプション手順(たとえば、追加の手順48、図2)を優先することができる。さらに、第2のチューンアウェイ優先54は、限定はしないが、ページング情報照会56およびページングチャネルブロック読取り58を含む。たとえば、ページング情報照会56は、MIB読取り構成要素34によって決定された期間の間、ページング情報についての1つまたは複数の第2のサブスクリプションエンティティ(たとえば、ネットワーク24、図1)の照会を可能にすることができる。加えて、いくつかの態様では、ユーザは、UE12の動作の間、第1のチューンアウェイ優先52または第2のチューンアウェイ優先54のいずれかを選択することができる。そのようなチューンアウェイ優先の選択は、UE12の様々な構成要素および/または副構成要素に動作パラメータ特性を提供する。言い換えれば、優先選択に基づいて、UE12は、第1のサブスクリプション(たとえば、第1のサブスクリプション18、図1)上の既存の呼のスループットを向上することに関連する手順よりも、第2のサブスクリプション(たとえば、第2のサブスクリプション22、図1)へのチューンアウェイを優先して、UE12上のMT呼またはページングを受信するように構成することができる。優先付け構成要素32は、1つもしくは複数のネットワーク(たとえば、ネットワーク20および24、図1)、ユーザ、ならびに/または、本明細書に記載された機能を自動的に実行する、UE12に記憶された独立アルゴリズムなどの、任意の数の非限定的なソースからの優先選択を受信または場合によっては決定できることを理解されたい。
【００２０】
さらに、図4を参照すると、通信マネージャ30は、一態様では、MIB読取り構成要素34を含む場合があり、MIB読取り構成要素34は、ネットワークエンティティから受信されたMIB80を受信し、復号し、読み取るように構成することができる。さらなる態様では、MIB読取り構成要素34は、MIB80からのSIBスケジューリング情報88を判定することができる。言い換えれば、MIB読取り構成要素34は、ネットワーク構成要素がいつSIB84を送信するかを識別することができ、その結果、無線リソースは、これらのSIB期間の間第1のサブスクリプション(たとえば、第1のサブスクリプション18、図1)によって保持されて、その中での重要なセル情報の受信を保証することができる。さらに、MIB読取り構成要素34は、SIB判定器82を含む場合があり、SIB判定器82は、MIB80を分析して休止状態のSIB86を判定するように構成することができる。たとえば、SIB判定器82は、ネットワーク(たとえば、ネットワーク20および24、図1)から受信されたMIB80からのスケジューリング情報88を利用して、休止状態のSIB86を判定することができる。休止状態のSIB86は、スケジューリング情報の不在が識別された期間であり得る。すなわち、スケジューリング情報88を使用して、SIB判定器82は、休止状態のSIB86を検索する。したがって、そのような休止状態のSIB86の期間の間、チューンアウェイ動作は、第2のサブスクリプション22上の呼またはページングの欠落を最小化するために、第2のサブスクリプション22が第1のサブスクリプション18に関連するSIB読取り期間と重ならないようにスケジュールすることができる。さらに、休止状態のSIBを検索することによって、UE12は、重複スケジュール期間ではなくオープン期間に基づいて、無線リソースを効率的に割り振ることができる。いくつかの態様では、MIB読取り構成要素34は、第2のサブスクリプションをスケジュールする目的で、PCHブロック読取りスケジューラ38に休止状態のSIB86を提供することができる。
【００２１】
さらなる態様では、通信マネージャは、PCHブロック読取りスケジューラ38を含む場合があり、PCHブロック読取りスケジューラ38は、DSDSのUEの無線リソースを第2のサブスクリプション(たとえば、第2のサブスクリプション22、図1)に譲渡することが、第1のサブスクリプション(たとえば、第1のサブスクリプション18、図1)がSIBを受信する、かつ/または読み取るようにスケジュールされていない期間に対応する場合がある1つまたは複数の休止状態のSIB期間86と同時に起こるようにするためのスケジュールを定めるように構成することができる。一態様では、PCHブロック読取りスケジューラ38は、第2のサブスクリプション上でMT呼を受信することが第1のサブスクリプション上の向上したスループットよりも高い優先度であるとユーザが示した、第1のサブスクリプションのSIB期間あたりでPCHブロック読取りを再スケジュールすることができる。
【００２２】
図5を参照すると、一態様では、UE12は、特別にプログラムまたは構成されたコンピュータデバイスを含む場合がある。UE12は、本明細書に記載された構成要素および機能のうちの1つまたは複数に関連する処理機能を遂行するためのプロセッサ60を含む。プロセッサ60は、プロセッサまたはマルチコアプロセッサの単一のセットまたは複数のセットを含むことができる。その上、プロセッサ60は、統合処理システムおよび/または分散処理システムとして実装することができる。加えて、プロセッサ60は、マルチSIMのUE内のチューンアウェイ衝突の回避に関係する、本明細書に記載された機能を実行するように構成することができる。
【００２３】
UE12はさらに、本明細書で使用されるデータ、および/またはプロセッサ60によって実行されているアプリケーションのローカルバージョンを記憶するなどのためのメモリ62を含む。メモリ62は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータが使用できる任意のタイプのメモリを含むことができる。加えて、メモリ62は、マルチSIMのUE内のチューンアウェイ衝突の回避に関係する、本明細書に記載された機能を実施するためのデータおよび/またはコードもしくはコンピュータ可読命令を記憶するように構成することができる。
【００２４】
さらに、UE12は、本明細書に記載されたようなハードウェア、ソフトウェア、およびサービスのうちの1つまたは複数を利用して、1つまたは複数のエンティティとの通信を確立し維持することを可能にする通信構成要素64を含む。通信構成要素104は、UE12上の構成要素の間で通信信号を搬送し、ならびにUE12と、有線もしくはワイヤレスの通信ネットワークにわたって位置するデバイス、および/またはUE12に直列もしくはローカルに接続されたデバイスなどの外部デバイスとの間で通信信号を交換することができる。たとえば、通信構成要素64は、1つまたは複数のバスを含む場合があり、外部デバイスとインターフェースするために動作可能な、送信機および受信機にそれぞれ関連付けられた送信チェーン構成要素および受信チェーン構成要素、または送受信機をさらに含む場合がある。さらなる態様では、通信構成要素64は、マルチSIMのUE内のチューンアウェイ衝突の回避に関係する、本明細書に記載された機能を実施するように構成することができる。
【００２５】
加えて、UE12は、本明細書に記載された態様とともに使用される情報、データベース、およびプログラムの大容量ストレージを可能にする、ハードウェアおよび/またはソフトウェアの任意の適切な組合せであり得る、データストア66をさらに含む場合がある。たとえば、データストア66は、本明細書に記載された態様に関係するアプリケーションおよびデータなどの、プロセッサ60によって現在実行されていないアプリケーションおよびデータ用のデータリポジトリであり得る。
【００２６】
UE12は、UE12のユーザからの入力を受信するように動作可能であり、ユーザへの提示用の出力を生成するようにさらに動作可能である、ユーザインターフェース構成要素68をさらに含む場合がある。ユーザインターフェース構成要素68には、限定はしないが、キーボード、ナンバーパッド、マウス、タッチセンサ式ディスプレイ、ナビゲーションキー、ファンクションキー、マイクロフォン、音声認識構成要素、ユーザからの入力を受信することが可能な任意の他の機構、またはそれらの任意の組合せを含む、1つまたは複数の入力デバイスが含まれ得る。さらに、ユーザインターフェース構成要素68には、限定はしないが、ディスプレイ、スピーカ、触覚型フィードバック機構、プリンタ、ユーザに出力を提示することが可能な任意の他の機構、またはそれらの任意の組合せを含む、1つまたは複数の出力デバイスが含まれ得る。
【００２７】
加えて、UE12は、特別にプログラムされたコンピュータ可読命令もしくはコード、ファームウェア、ハードウェア、1つもしくは複数のプロセッサモジュール、またはそれらの何らかの組合せなどにおいて、通信マネージャ構成要素30を含む場合がある。
【００２８】
図6を参照すると、動作中、UE12(図1)などのUEは、DSDSデバイス内の改善されたチューンアウェイのための方法70の一態様を実施することができる。説明を簡単にするために、方法は一連の動作として図示および記載されているが、いくつかの動作は、1つまたは複数の実施形態によれば、本明細書で図示および記載された順序とは異なる順序で、および/または他の動作と同時に行われ得るので、方法は動作の順序に限定されないことを理解し諒解されたい。たとえば、方法は、代わりに、状態図などにおいて、一連の相互に関係する状態またはイベントとして表すことができることを諒解されたい。その上、本明細書に記載された1つまたは複数の特徴に従って方法を実施するために、示されたすべての動作が必要とされ得るわけではない。
【００２９】
一態様では、ブロック71で、UEは任意選択で、たとえば第1のサブスクリプション上の既存の呼のスループットよりも、たとえば第2のサブスクリプション上の1つまたは複数のモバイル着信呼を受信することを優先する設定を行うことができる。たとえば、本明細書に記載されたように、通信マネージャ30は、優先付け構成要素32(図3)を実行して、第1のサブスクリプション18上の既存の呼のスループットよりも、第2のサブスクリプション22上の1つまたは複数のモバイル着信呼を受信することを優先する設定を行うことができる。優先付け構成要素32は、第1のチューンアウェイ優先52および/または第2のチューンアウェイ優先54を設定することができる。いくつかの場合には、第1のチューンアウェイ優先52は、第2のサブスクリプション手順よりも第1のサブスクリプション手順を優先する。他の場合には、第2のチューンアウェイ優先54は、第1のサブスクリプション手順に対して第2のサブスクリプション手順を優先する。
【００３０】
さらに、ブロック72で、UEは、UE内の第1のサブスクリプション上の第1のサブスクリプションネットワークエンティティからMIBを受信することができる。たとえば、UE12は、RF通信リソース32(図1)を実行して、第1のサブスクリプション(たとえば、第1のサブスクリプション18、図1)上の第1のサブスクリプションネットワークエンティティ(たとえば、ネットワーク20、図1)からMIBを受信することができる。
【００３１】
加えて、ブロック74で、UEは、第1のサブスクリプションネットワークエンティティに関連するSIBスケジューリング情報を判定することができる。たとえば、本明細書に記載されたように、通信マネージャ30は、MIB読取り構成要素34(図4)を実行して、第1のサブスクリプションエンティティ(たとえば、第1のサブスクリプション18、図1)に関連するSIBスケジューリング情報88を判定することができる。いくつかの態様では、第1のサブスクリプションネットワークエンティティに関連するSIBスケジューリング情報88を判定することは、MIB80からのSIBスケジューリング情報88を判定することを含む。MIB読取り構成要素34は、PCHブロックの読取りをスケジュールするために、PCHブロック読取りスケジューラ38に休止状態のSIB86を提供することができる。他の態様では、MIB読取り構成要素34は、休止状態のSIB86の間、1つまたは複数の第2のサブスクリプション22の手順をスケジュールすることができる。
【００３２】
加えて、ブロック76で、UEは、第1のサブスクリプション上のアクティブな呼からチューンアウェイすることができる。たとえば、本明細書に記載されたように、通信マネージャ30は、チューンアウェイ構成要素36(図1)を実行して、第1のサブスクリプション18上のアクティブな呼40からチューンアウェイすることができる。いくつかの態様では、UE12は、SIBスケジューリング情報88から導出された休止状態のSIB期間86の間、第1のサブスクリプション18上のアクティブな呼40からチューンアウェイすることができる。
【００３３】
さらに、ブロック78で、UEは任意選択で、休止状態のSIB期間の間、第2のサブスクリプション上の1つまたは複数のPCHブロックを読み取ることができる。たとえば、本明細書に記載されたように、通信マネージャ30(図1)は、PCHブロック読取りスケジューラ38を実行して、休止状態のSIB期間86の間、第2のサブスクリプション22上の1つまたは複数のPCHブロックを読み取ることができる。その上、UEは、休止状態のSIB期間の間、ページング情報について第2のサブスクリプションネットワークエンティティに照会することもできる。たとえば、本明細書に記載されたように、通信マネージャ30は、1つまたは複数の副構成要素を実行して、休止状態のSIB期間86の間、ページング情報について第2のサブスクリプションネットワークエンティティ(たとえば、ネットワーク24、図1)に照会することもできる。
【００３４】
図7を参照すると、DSDS UE内の改善されたチューンアウェイのための例示的なシステム100が表示される。たとえば、システム100は、少なくとも部分的に、UE12(図1)などのユーザ機器の内部に存在することができる。システム100は、プロセッサ、ソフトウェア、またはそれらの組合せ(たとえば、ファームウェア)によって実装される機能を表す機能ブロックであり得る、機能ブロックを含むものとして表されていることを諒解されたい。システム100は、連携して動作することができる電気的構成要素の論理グルーピング102を含む。たとえば、論理グルーピング102は、たとえば第1のサブスクリプション上の既存の呼のスループットよりも、たとえば第2のサブスクリプション上の1つまたは複数のモバイル着信呼を受信することを優先する設定を行うための電気的構成要素103を任意選択で含むことができる。一態様では、電気的構成要素103は、優先付け構成要素32(図1および図2)を含む場合がある。さらに、論理グルーピング102は、UE内の第1のサブスクリプション上の第1のサブスクリプションネットワークエンティティからMIBを受信するための電気的構成要素104を含むことができる。一態様では、電気的構成要素104は、MIB読取り構成要素34(図1および図3)ならびに/または通信構成要素64(図5)を含む場合がある。加えて、論理グルーピング102は、第1のサブスクリプションネットワークエンティティに関連するSIBスケジューリング情報を判定するための電気的構成要素106を含むことができる。一態様では、電気的構成要素106は、MIB読取り構成要素34(図1)を含む場合がある。加えて、論理グルーピング102は、SIBスケジューリング情報から解読された休止状態のSIB期間の間、第1のサブスクリプションから第2のサブスクリプションに無線リソースをチューンアウェイするための電気的構成要素108を含むことができる。一態様では、電気的構成要素108は、チューンアウェイ構成要素36(図1)を含む場合がある。加えて、論理グルーピング102は、休止状態のSIB期間の間、第2のサブスクリプション上の1つまたは複数のPCHブロックを読み取るための任意選択の電気的構成要素110を含むことができる。一態様では、電気的構成要素110は、プロセッサ60および/または通信構成要素64(図5)を含む場合がある。一例では、電気的構成要素103、104、106、108、および110は、少なくとも1つのプロセッサを備えることができるか、または、各電気的構成要素103、104、106、108、および110は、少なくとも1つのプロセッサの対応するモジュールであり得る。その上、追加または代替の例では、電気的構成要素103、104、106、108、および110は、コンピュータ可読媒体を含むコンピュータプログラム製品であり得るし、各電気的構成要素103、104、106、108、および110は、対応するコードまたは命令であり得る。
【００３５】
加えて、システム100は、電気的構成要素103、104、106、108、および110に関連付けられた機能を実行するための命令を保持し、電気的構成要素103、104、106、108、および110などによって使用または取得されるデータを記憶するメモリ112を含むことができる。電気的構成要素103、104、106、108、および110は、メモリ112の外部にあるものとして示されているが、これらの電気的構成要素のうちの1つまたは複数は、メモリ112の内部に存在できることを理解されたい。
【００３６】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなどのコンピュータ関連エンティティを含むものとする。たとえば、構成要素は、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションとコンピューティングデバイスの両方は、構成要素であり得る。1つまたは複数の構成要素は、プロセスおよび/または実行スレッド内に存在することができ、1つの構成要素は、1つのコンピュータ上に配置され、かつ/または2つ以上のコンピュータ間に分散される場合がある。加えて、これらの構成要素は、様々なデータ構造を記憶している様々なコンピュータ可読媒体から実行することができる。これらの構成要素は、信号によって、ローカルシステム、分散システム内の別の構成要素と対話し、かつ/またはインターネットなどのネットワークを介して他のシステムと対話する1つの構成要素からのデータなどの、1つまたは複数のデータパケットを有する信号に従うことなどによって、ローカルプロセスおよび/またはリモートプロセスによって通信することができる。
【００３７】
さらに、有線端末またはワイヤレス端末であり得る端末に関して、様々な態様が本明細書に記載される。端末はまた、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)と呼ぶことができる。ワイヤレス端末は、携帯電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであり得る。その上、基地局に関して、様々な態様が本明細書に記載される。基地局は、ワイヤレス端末と通信するために利用することができ、アクセスポイント、ノードB、または何らかの他の用語で呼ばれる場合もある。
【００３８】
その上、「または」という用語は、排他的な「または」ではなく、包括的な「または」を意味するものとする。すなわち、別段の規定がない限り、または文脈から明白でない限り、「XはAまたはBを使用する」という語句は、自然な包括的置換のいずれかを意味するものとする。すなわち、「XはAまたはBを使用する」という語句は、以下の例のいずれかによって満足される。XはAを使用する、XはBを使用する、またはXはAとBの両方を使用する。加えて、本出願および添付の特許請求の範囲で使用する冠詞「a」および「an」は、別段の規定がない限り、または単数形を対象とすることが文脈から明白でない限り、一般に「1つまたは複数」を意味するものと解釈されるべきである。
【００３９】
本明細書に記載された技法は、CDMA、TDMA、FDMA、OFDMA、SC-FDMAおよび他のシステムなどの様々なワイヤレス通信システムに使用することができる。「システム」および「ネットワーク」という用語は、しばしば互換的に使用される。CDMAシステムは、ユニバーサル地上無線アクセス(UTRA)、cdma2000などの無線技術を実装することができる。UTRAは、広帯域CDMA(W-CDMA(登録商標))およびCDMAの他の変形形態を含む。さらに、cdma2000は、IS-2000規格、IS-95規格およびIS-856規格をカバーする。TDMAシステムは、モバイル通信用グローバルシステム(GSM(登録商標))などの無線技術を実装することができる。OFDMAシステムは、発展型UTRA(E-UTRA)、ウルトラモバイルブロードバンド(UMB)、IEEE802.11(Wi-Fi)、IEEE802.16(WiMAX)、IEEE802.20、フラッシュOFDMなどの無線技術を実装することができる。UTRAおよびE-UTRAは、ユニバーサルモバイルテレコミュニケーションシステム(UMTS)の一部である。3GPPロングタームエボリューション(LTE)は、ダウンリンク上ではOFDMAを利用し、かつアップリンク上ではSC-FDMAを利用する、E-UTRAを使用するUMTSのリリースである。UTRA、E-UTRA、UMTS、LTE、およびGSM(登録商標)は、「第3世代パートナーシッププロジェクト」(3GPP)と命名された組織からの文書に記述されている。加えて、cdma2000およびUMBは、「第3世代パートナーシッププロジェクト2」(3GPP2)と命名された組織からの文書に記述されている。さらに、そのようなワイヤレス通信システムは、不対無認可スペクトル、802.xxワイヤレスLAN、BLUETOOTH(登録商標)および任意の他の短距離または長距離のワイヤレス通信技法をしばしば使用する、ピアツーピア(たとえば、モバイルツーモバイル)アドホックネットワークシステムをさらに含む場合がある。
【００４０】
いくつかのデバイス、構成要素、モジュールなどを含む場合があるシステムに関して、様々な態様または特徴が提示される。様々なシステムは、さらなるデバイス、構成要素、モジュールなどを含む場合があり、かつ/または各図に関連して説明されたデバイス、構成要素、モジュールなどのすべてを含むとは限らないことを理解され諒解されたい。これらの手法の組合せも使用することができる。
【００４１】
本明細書で開示された実施形態に関して記載された様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または、本明細書に記載された機能を実行するように設計されたそれらの任意の組合せを用いて、実装または実行することができる。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実装することができる。加えて、少なくとも1つのプロセッサは、上述されたステップおよび/またはアクションのうちの1つまたは複数を実行するように動作可能な、1つまたは複数のモジュールを備える場合がある。
【００４２】
さらに、本明細書で開示された態様に関して記載された方法またはアルゴリズムのステップおよび/またはアクションは、直接ハードウェア内で、プロセッサによって実行されるソフトウェアモジュール内で、またはその2つの組合せ内で具現化することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体内に存在することができる。例示的な記憶媒体は、プロセッサが記憶媒体から情報を読み取り、かつ記憶媒体に情報を書き込むことができるようにプロセッサに結合することができる。代替として、記憶媒体はプロセッサと一体であり得る。さらに、いくつかの態様では、プロセッサおよび記憶媒体はASIC内に存在することができる。加えて、ASICはユーザ端末内に存在することができる。代替として、プロセッサおよび記憶媒体は、ユーザ端末内の個別構成要素として存在することができる。加えて、いくつかの態様では、方法またはアルゴリズムのステップおよび/またはアクションは、コンピュータプログラム製品に組み込むことができる、機械可読媒体および/またはコンピュータ可読媒体上のコードおよび/または命令の1つもしくは任意の組合せ、またはそのセットとして存在することができる。
【００４３】
1つまたは複数の態様では、記載された機能は、ハードウェア、ソフトウェア、ファームウェア、またはそれらの任意の組合せに実装することができる。ソフトウェアに実装される場合、各機能は、1つまたは複数の命令またはコードとしてコンピュータ可読媒体上に記憶されるか、または、コンピュータ可読媒体上で送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令またはデータ構造の形態の所望のプログラムコードを搬送または記憶するために使用でき、コンピュータによってアクセスできる、任意の他の媒体を備えることができる。また、いかなる接続もコンピュータ可読媒体と呼ぶことができる。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用されるディスク(disk)およびディスク(disc)は、コンパクトディスク(disc)(CD)、レーザディスク(disc)、光ディスク(disc)、デジタル多用途ディスク(disc)(DVD)、フロッピー(登録商標)ディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含まれるべきである。
【００４４】
上記の開示は、例示的な態様および/または実施形態を説明したが、添付の特許請求の範囲によって定義されるように、記載された態様および/または実施形態の範囲から逸脱することなく、様々な変更および改変を本明細書で行うことができることに留意されたい。さらに、記載された態様および/または実施形態の要素は、単数形で記載または請求されている場合があるが、単数形に限定することが明示的に記載されていない限り、複数形が考えられる。加えて、任意の態様および/または実施形態の全部または一部は、別段に記載されていない限り、任意の他の態様および/または実施形態の全部または一部とともに利用することができる。
【符号の説明】
【００４５】
10  ワイヤレス通信システム
12  ユーザ機器(UE)
18  第1のサブスクリプション
20  ネットワーク
22  第2のサブスクリプション
24  ネットワーク
30  通信マネージャ
32  RF通信リソース
32  優先付け構成要素
34  MIB読取り構成要素
36  チューンアウェイ構成要素
38  PCHブロック読取りスケジューラ
40  アクティブな呼
40  チューンアウェイモード
42  チューンアウェイタイマ
44  手順構成要素
46  第1の手順
48  追加の手順
50  チューンアウェイ優先構成要素
52  第1のチューンアウェイ優先
54  第2のチューンアウェイ優先
56  ページング情報照会
58  ページングチャネルブロック読取り
60  プロセッサ
64  通信構成要素
70  方法
80  マスタ情報ブロック(MIB)
82  SIB判定器
84  システム情報ブロック(SIB)
86  休止状態のSIB
88  SIBスケジューリング情報
100  システム
102  論理グルーピング
103  電気的構成要素
104  電気的構成要素
106  電気的構成要素
108  電気的構成要素
110  電気的構成要素
112  メモリ
【図１】
0005791850.tif 000002
【図２】
0005791850.tif 000003
【図３】
0005791850.tif 000004
【図４】
0005791850.tif 000005
【図５】
0005791850.tif 000006
【図６】
0005791850.tif 000007
【図７】
0005791850.tif 000008